(57)【要約】【課題】洗浄運転中においては洗浄槽が外部に引き出されてしまわないようにロックされるとともに、故障や停電などが発生した場合には通常行う食器洗浄機の操作方法とは異なる操作によってロックを強制的に解除することが可能な食器洗浄機を提供する。【解決手段】洗浄機本体１に対する洗浄槽２の位置を変化させて、ロック装置７１の、洗浄機本体に配設された係止体４２に対する相対的な位置を、ロック体（ロックピン）４１の突出する方向（一の方向）と反対の他の方向に所定寸法だけ変化させたときには、ロック体４１が突出状態にある場合においても、前面視においてロック体４１と係止体４２とが重なる領域に位置せず、洗浄槽２が第１引き出し位置を超えて引き出されることを許容するように構成する。【選択図】図５Ｂ
2014104013.tif 000002
【特許請求の範囲】
【請求項１】
食器類が収容される洗浄槽と、
食器洗浄用の洗浄液を循環させるポンプと、
洗浄運転の開始や停止などの制御を行う制御手段と、
前記洗浄槽が出し入れされる前面開口部を有し、前記制御手段から前記ポンプに送出される運転指令により前記ポンプを運転させて洗浄運転を実行する洗浄機本体と、
前記洗浄槽の前面に配設され、前記洗浄機本体の前記前面開口部を開閉する扉体と、
前記洗浄槽が洗浄機本体内の所定収納位置まで収納されたときには前記洗浄槽に設けられた食器類の出し入れ用の上面開口部を封止し、前記洗浄槽が前記洗浄機本体から引き出されたときには前記洗浄槽の前記上面開口部から離間するように、前記洗浄槽の出し入れに連動して前記上面開口部を開閉する内蓋と、
前記洗浄運転の実行中に前記洗浄機本体内の前記所定収納位置にある前記洗浄槽を引き出そうとしたときに、前記洗浄槽の引き出しを牽制するロック機構と
を備えた食器洗浄機において、
（ａ）前記ロック機構は、
前記洗浄槽に配設され、前面視において前記扉体の左右方向のうち一の方向にロック体を突出させ、また、突出させた前記ロック体を突出させる前の位置に後退させることができるように構成されたロック装置と、前記洗浄機本体に配設され、前記ロック体と当接して、前記洗浄槽の前記洗浄機本体からの引き出しを阻止する係止体とを備えているとともに、
前記ポンプを運転しているときには、前記ロック体が前記左右方向のうち一の方向に突出した突出状態となり、前記洗浄槽を第１引き出し位置まで引き出したときに、前記洗浄槽の引き出し方向を前方として、前記ロック体の前方の、前面視において前記ロック体に重なる領域に位置する前記係止体に、前記ロック体が当接することにより、前記洗浄槽が前記第１引き出し位置を超えて引き出されることを阻止し、
前記ポンプを運転しないときには、前記ロック体が後退し、前面視において前記ロック体と前記係止体とが重なる領域に位置せず、前記洗浄槽が前記第１引き出し位置を超えて引き出されることを許容するように構成されているとともに、
（ｂ）前記洗浄槽と前記洗浄機本体とが、いずれか一方の位置を他方の位置に対して所定範囲で変化させることができるように構成されおり、
（ｃ）前記洗浄機本体に対する前記洗浄槽の位置を変化させることにより、前記ロック装置の前記洗浄機本体に配設された前記係止体に対する相対的な位置を、前記一の方向と反対の他の方向に所定寸法だけ変化させることができるように構成されており、
（ｄ）前記洗浄機本体に対する前記洗浄槽の位置を変化させて、前記ロック装置の、前記洗浄機本体に配設された前記係止体に対する相対的な位置を、前記一の方向と反対の他の方向に所定寸法だけ変化させたときには、前記ロック体が前記突出状態にある場合においても、前面視において前記ロック体と前記係止体とが重なる領域に位置せず、前記洗浄槽が前記第１引き出し位置を超えて引き出されることを許容するように構成されていること
を特徴とする食器洗浄機。
【請求項２】
前記係止体が前記洗浄機本体に弾性体により保持され、かつ、前記係止体の、前記他の方向側の面には、前記ロック体と当接する先端部から、前記前方側に向かうほど、その表面が前記他の方向側に位置するような傾斜部が設けられていることを特徴とする請求項１記載の食器洗浄機。
【請求項３】
前記洗浄槽を前記洗浄機本体の左右方向の中央に位置するように付勢する付勢手段を備えていることを特徴とする請求項１記載の食器洗浄機。
【請求項４】
キッチンカウンタの下方に、他の設置体と隣り合って設置され、
前記洗浄槽が前記所定収納位置にあるときには、前記扉体と前記設置体の前面部との間に前記所定の寸法より小さい間隙しか存在せず、前記扉体と前記設置体の前記前面部とが干渉して、前記洗浄槽の位置を可能な範囲で前記洗浄機本体の位置に対して相対的に変化させても、前記ロック装置の、前記洗浄機本体に配設された前記係止体に対する相対的な位置を、前記他の方向に前記所定寸法だけ変化させることができずに、前記ロック体を前面視において前記係止体に重ならない領域にまで変位させることができないように構成され、
前記洗浄槽を前記第１引き出し位置まで引き出したときには、前記扉体と前記設置体の前面部とが干渉せず、前記ロック装置の、前記洗浄機本体に配設された前記係止体に対する相対的な位置を、前記他の方向に前記所定寸法だけ変化させることができ、前記ロック体を前面視において前記係止体に重ならない領域にまで変位させることができるように構成されていること
を特徴とする請求項１〜３のいずれかに記載の食器洗浄機。
【発明の詳細な説明】
【技術分野】
【０００１】
本発明は、食器洗浄機に関し、詳しくは、食器洗浄機本体の前面に設けられた開口部分を通じて洗浄槽を略水平方向に出し入れすることができるとともに、この洗浄槽の出し入れに連動して洗浄槽に設けられた食器類の出し入れ用の上面開口部を内蓋で開閉できるようにした引き出し式の食器洗浄機に関する。
【背景技術】
【０００２】
食器洗浄機には、キッチンカウンタの下方に設置され、引き出し式の収納部などの他の複数の設置体と並ぶ状態で配設されて、皿や茶碗などの食器類を洗浄するのに使用されるものがある。
【０００３】
そして、このような食器洗浄機を用いて食器類の洗浄を行う場合、まず、洗浄槽を洗浄機本体から引き出した引き出し状態にして、皿や茶碗などの食器類を洗浄槽の内部に収容する。その後、洗浄槽を洗浄機本体の内部の収納位置に収納した収納状態にして、洗浄運転を行う。洗浄運転が終了した後においては、洗浄槽を洗浄機本体から引き出した引き出し状態にして、皿や茶碗など食器類を洗浄槽から取り出す。
【０００４】
このような食器洗浄機の従来例として、洗浄槽の前部の上方側部分に、操作パネルが設けられ、洗浄槽の前部における操作パネルの下方側部分に、扉体が装備されたものがある（例えば、特許文献１および特許文献２参照）。
【０００５】
そして、特許文献１においては、扉体の表面が、キッチンカウンタの下方に配置される複数の収納部や固定パネルなどの設置体の表面と同一の色調を有し、同一の図柄となるように構成された、色合い面において美麗なシステムキッチンを構成することが可能な食器洗浄機が開示されている。
【０００６】
特許文献１の食器洗浄機は、洗浄槽の前部の上方側部分に設けられている操作パネルを別の部位に移動し、洗浄槽の前部の全面をキッチンカウンタの下方に配置される複数の収納部や固定パネルなどの設置体の表面と、同一の色調で、同一の図柄とした扉体で覆うことにより、さらに色合い面において外観を美麗な状態にすることが可能である。
【０００７】
また、特許文献２には、洗浄運転や洗浄運転の開始前後の待機状態を含む定常時におけるロック機構の動作とは別に、前記定常時以外の非定常時に操作されて前記ロック機構を強制的に解除動作させる非定常ロック解除手段を備えている食器洗浄機が記載されており、故障や停電などが発生した場合にも、通常行う食器洗浄機の操作方法とは異なる操作によってロックを強制的に解除することを可能にした構成が記載されている。
【０００８】
ここで、たとえば、洗浄槽の前部の全面を扉体で覆った場合には、扉体の美観を損なわないようにしつつ、使用者が洗浄槽を不用意に引き出してしまうことがないように配慮する必要がある。そして、洗浄槽の前部の全面を扉体で覆った機器において、洗浄槽のロック機構を構成する場合、特許文献２に開示されるような非定常ロック解除手段を備えることが好ましいということができる。
【０００９】
この特許文献２の実施形態には、非定常ロック解除手段がロック解除操作用の解除操作部を備え、この解除操作部とロック機構の一部を構成する係止部材の一部との間が可とう性を有する線状部材で結合し、解除操作部を操作することにより、上記係止部材を係止位置から非係止位置に変位させるようにした構成が開示されているが、この構成においては、解除操作部と、ロック機構の一部を構成する係止部材の一部とを結合する線状部材などの結合部材を必要とすることから、非定常ロック解除手段の構成が複雑になるという問題点がある。
【００１０】
【特許文献１】特開２００５−２５３８２４号公報
【特許文献２】特開２００９−１４２５３９号公報
【発明の開示】
【発明が解決しようとする課題】
【００１１】
本発明は、上記の課題を解決するためになされたものであり、特許文献２の食器洗浄機における、洗浄運転や洗浄運転の開始前後の待機状態を含む定常時の前記ロック機構の動作とは別に、定常時以外の非定常時に操作されてロック機構を強制的に解除動作させる非定常時ロック解除手段を備えており、故障や停電などが発生した場合にも、通常行う食器洗浄機の操作方法とは異なる操作によってロックを強制的に解除することが可能であり、しかも、解除操作部とロック機構とを結合する結合部材を必要とせず、低コストで構成することが可能な食器洗浄機を提供することを目的とする。
【課題を解決するための手段】
【００１２】
上記の目的を達成するために、本発明の食器洗浄機にあっては、次の構成を採用している。
すなわち、請求項１記載の発明にかかる食器洗浄機は、
食器類が収容される洗浄槽と、
食器洗浄用の洗浄液を循環させるポンプと、
洗浄運転の開始や停止などの制御を行う制御手段と、
前記洗浄槽が出し入れされる前面開口部を有し、前記制御手段から前記ポンプに送出される運転指令により前記ポンプを運転させて洗浄運転を実行する洗浄機本体と、
前記洗浄槽の前面に配設され、前記洗浄機本体の前記前面開口部を開閉する扉体と、
前記洗浄槽が洗浄機本体内の所定収納位置まで収納されたときには前記洗浄槽に設けられた食器類の出し入れ用の上面開口部を封止し、前記洗浄槽が前記洗浄機本体から引き出されたときには前記洗浄槽の前記上面開口部から離間するように、前記洗浄槽の出し入れに連動して前記上面開口部を開閉する内蓋と、
前記洗浄運転の実行中に前記洗浄機本体内の前記所定収納位置にある前記洗浄槽を引き出そうとしたときに、前記洗浄槽の引き出しを牽制するロック機構と
を備えた食器洗浄機において、
（ａ）前記ロック機構は、
前記洗浄槽に配設され、前面視において前記扉体の左右方向のうち一の方向にロック体を突出させ、また、突出させた前記ロック体を後退させることができるように構成されたロック装置と、前記洗浄機本体に配設され、前記ロック体と当接して、前記洗浄槽の前記洗浄機本体からの引き出しを阻止する係止体とを備えているとともに、
前記ポンプを運転しているときには、前記ロック体が前記左右方向のうち一の方向に突出した突出状態となり、前記洗浄槽を第１引き出し位置まで引き出したときに、前記洗浄槽の引き出し方向を前方として、前記ロック体の前方の、前面視において前記ロック体に重なる領域に位置する前記係止体に、前記ロック体が当接することにより、前記洗浄槽が前記第１引き出し位置を超えて引き出されることを阻止し、
前記ポンプを運転しないときには、前記ロック体が後退し、前面視において前記ロック体と前記係止体とが重なる領域に位置せず、前記洗浄槽が前記第１引き出し位置を超えて引き出されることを許容するように構成されているとともに、
（ｂ）前記洗浄槽と前記洗浄機本体とが、いずれか一方の位置を他方の位置に対して所定範囲で変化させることができるように構成されおり、
（ｃ）前記洗浄機本体に対する前記洗浄槽の位置を変化させることにより、前記ロック装置の前記洗浄機本体に配設された前記係止体に対する相対的な位置を、前記一の方向と反対の他の方向に所定寸法だけ変化させることができるように構成されており、
（ｄ）前記洗浄機本体に対する前記洗浄槽の位置を変化させて、前記ロック装置の、前記洗浄機本体に配設された前記係止体に対する相対的な位置を、前記一の方向と反対の他の方向に所定寸法だけ変化させたときには、前記ロック体が前記突出状態にある場合においても、前面視において前記ロック体と前記係止体とが重なる領域に位置せず、前記洗浄槽が前記第１引き出し位置を超えて引き出されることを許容するように構成されていること
を特徴としている。
【００１３】
また、本発明の食器洗浄機においては、前記係止体が前記洗浄機本体に弾性体により保持され、かつ、前記係止体の、前記他の方向側の面には、前記ロック体と当接する先端部から、前記前方側に向かうほど、その表面が前記他の方向側に位置するような傾斜部が設けられていることが好ましい。
【００１４】
また、本発明の食器洗浄機においては、前記洗浄槽を前記洗浄機本体の左右方向の中央に位置するように付勢する付勢手段を備えていることが好ましい。
【００１５】
また、本発明の食器洗浄機においては、
キッチンカウンタの下方に、他の設置体と隣り合って設置され、
前記洗浄槽が前記所定収納位置にあるときには、前記扉体と前記設置体の前面部との間に前記所定の寸法より小さい間隙しか存在せず、前記扉体と前記設置体の前記前面部とが干渉して、前記洗浄槽の位置を可能な範囲で前記洗浄機本体の位置に対して相対的に変化させても、前記ロック装置の、前記洗浄機本体に配設された前記係止体に対する相対的な位置を、前記他の方向に前記所定寸法だけ変化させることができずに、前記ロック体を前面視において前記係止体に重ならない領域にまで変位させることができないように構成され、
前記洗浄槽を前記第１引き出し位置まで引き出したときには、前記扉体と前記設置体の前面部とが干渉せず、前記ロック装置の、前記洗浄機本体に配設された前記係止体に対する相対的な位置を、前記他の方向に前記所定寸法だけ変化させることができ、前記ロック体を前面視において前記係止体に重ならない領域にまで変位させることができるように構成されていること
が好ましい。
【発明の効果】
【００１６】
本願の請求項１記載の発明にかかる食器洗浄機は、上述のように構成されており、洗浄運転や洗浄運転の開始前後の待機状態を含む定常時において洗浄槽が引き出されてしまうことを確実に防止することが可能で、かつ、故障などの非定常時において、容易に洗浄槽を引き出すことが可能なロックおよびロック解除機構を備えた食器洗浄機を提供することが可能になる。
すなわち、本発明によれば、洗浄機本体に対する洗浄槽の位置を所定量変化させることができるようにするだけの簡単な構成で非定常ロック解除機構を備えた食器洗浄機を提供することができる。
【００１７】
また、請求項２の食器洗浄機のように、係止体が洗浄機本体に弾性体により保持され、係止体の、他の方向（前記ロック体の突出する方向と逆の方向）側の面には、ロック体と当接する先端部から、前方側に向かうほど、その表面が他の方向側に位置するような傾斜部が設けられている構成とした場合、洗浄槽を意図せずに他の方向側に偏らせてしまったときにも、洗浄槽を引き出すためには、ロック体が傾斜部を乗り越えることが必要で、そのためには、弾性体を弾性変形させるだけの力が必要になることから、不用意に洗浄槽が引き出されてしまうことがなく、洗浄水の漏出を防止することが可能になる。
【００１８】
なお、「係止体が洗浄機本体に弾性体により保持され」とは、係止体と洗浄機本体を接続する部分が弾性を有している場合、弾性を有する別部材を介して係止体と洗浄機本体が接続されている場合、さらには、ロック体を当接する先端部より洗浄機本体に近い部分が、係止体と一体で、弾性を有する材料で形成されている場合などを含む広い概念である。
【００１９】
また、請求項３の食器洗浄機のように、洗浄槽を洗浄機本体の左右方向の中央に位置するように付勢する付勢手段を備えた構成とした場合、洗浄槽を意図せずに他の方向側に変位させてしまうことにより不用意に洗浄槽が引き出されてしまうことが防止できる。
【００２０】
また、請求項４の食器洗浄機のような構成とすることにより、キッチンカウンタの下方に、他の設置体と隣接して設置される場合において、洗浄槽を、意図せずに他の方向側に変位させたときにも、洗浄槽が不用意に引き出されてしまうことをより確実に防止することが可能になり、本発明をより実効あらしめることができる。
【図面の簡単な説明】
【００２１】
【図１】本発明の実施形態１にかかる食器洗浄機の全体構成を示す概略斜視図である。
【図２】同食器洗浄機の要部側面断面図である。
【図３】同食器洗浄機の、システムキッチンのキッチンカウンタの下方への設置態様を示す図である。
【図４Ａ】同食器洗浄機のロック機構の構成および動作を説明するための図（平面断面図）であって、ロック体が一の方向に突出した状態を示す図である。
【図４Ｂ】同食器洗浄機のロック機構の構成および動作を説明するための図であって、ロック体と係止体とが当接し、洗浄槽の引き出しが阻止された状態を示す図である。
【図４Ｃ】同食器洗浄機のロック機構の構成および動作を説明するための図であって、洗浄槽を食器洗浄機本体に対して左方向に所定量だけ移動させた状態を示す図である。
【図４Ｄ】同食器洗浄機のロック機構の構成および動作を説明するための図であって、洗浄槽を食器洗浄機本体に対して左方向に所定量だけ移動させた状態で洗浄槽を引き出す工程を示す図である。
【図４Ｅ】同食器洗浄機のロック機構の構成および動作を説明するための図であって、洗浄槽を食器洗浄機本体に対して左方向に所定量だけ移動させた状態で洗浄槽を引き出した状態を示す図である。
【図５Ａ】同食器洗浄機のロック機構の構成および動作を説明するための図であって、ロック体（ロックピン）が後退状態に保たれている非ロック状態を示す図である。
【図５Ｂ】同食器洗浄機のロック機構の構成および動作を説明するための図であって、非ロック状態において洗浄槽が引き出された状態を示す図である。
【図６Ａ】同食器洗浄機のロック機構の構成および動作を説明する要部拡大図（図４Ｃに示す状態の要部拡大図）である。
【図６Ｂ】同る食器洗浄機のロック機構の構成および動作を説明する要部拡大図（図４Ｄに示す状態の要部拡大図）である。
【図７】同食器洗浄機を構成する洗浄槽位置センサを示す図であり、（イ）は洗浄槽が引き出されたときの状態を示す図、（ロ）洗浄槽を所定収納位置に収納されたときの状態を示す図である。
【図８Ａ】同食器洗浄機の非定常時におけるロック解除を行う場合の動作を説明する図であって、洗浄槽が所定収納位置に収納されている状態を示す図である。
【図８Ｂ】同食器洗浄機の非定常時におけるロック解除を行う場合の動作を説明する図であって、洗浄槽をＧ（例えば２０ｍｍ）だけ前方に引き出下常態を示す図である。
【図９】本発明の実施形態２にかかる食器洗浄機の要部構成を示す図（平面断面図）である。
【図１０】同食器洗浄機の構成を模式的に示す平面概念図である。
【発明を実施するための形態】
【００２２】
以下、本発明の実施形態を示して、その特徴とするところをさらに詳しく説明する。
【００２３】
＜実施形態１＞
図１は本発明の実施形態にかかる食器洗浄機の全体構成を示す概略斜視図、図２は、同食器洗浄機の要部側面断面図、図３はシステムキッチンのキッチンカウンタの下方への同食器洗浄機の設置態様を示す図である。
【００２４】
［食器洗浄機の基本構成］
図１に示すように、実施形態１の食器洗浄機Ｓは、略箱状で、前面側に、洗浄槽２を出し入れするための前面開口部３が形成された洗浄機本体１を備えており、洗浄機本体１の内側の収納空間内には上述の洗浄槽２が、上記前面開口部３を通して略水平方向に出し入れすることができるような態様で収容されている。
【００２５】
そして、この洗浄槽２の上面側には、食器類５（図１）や洗浄かご（図示せず）を出し入れするための上面開口部４が設けられている。また、洗浄機本体１の内側の上部には、洗浄槽２の上面開口部４を開閉する内蓋１０が略上下方向に昇降可能に保持された状態で配置されている。
さらに、洗浄機本体１内には、特に図示しないが、洗浄運転を実行するために、食器洗浄用の洗浄液を循環させるポンプが設けられている。
【００２６】
また、洗浄機本体１の内側には、洗浄槽２を出し入れする際のガイド用の左右一対のレール７が配設され、その左右一対のレール７を介して洗浄槽２が洗浄機本体１の収納空間に対して、矢印Ａで示す収納移動方向と、矢印Ｂで示す引き出し移動方向へスライド移動することができるように構成されている。なお、洗浄槽２は、引き出し状態において、その大部分を洗浄機本体１の外方に露出させる状態に引き出すことができるように構成されている。
【００２７】
つまり、引き出し式の食器洗浄機Ｓは、洗浄槽２を洗浄機本体１から引き出した引き出し状態において、食器類などの洗浄対象物を洗浄槽２の内部に収納し、洗浄槽２を洗浄機本体１の収納位置に収納した収納状態において洗浄槽２の上面開口部４が、内蓋１０にて閉塞され、食器類５を洗浄する洗浄運転を行うように構成されている。
【００２８】
なお、洗浄槽２の下方には、洗浄ポンプなどの機器類が、洗浄槽２に組付けられた状態で配設され、洗浄槽２の内部には、洗浄ノズルや加熱用ヒータなどが配設され、また、洗浄槽２の内部には、食器類などの洗浄対象物を収納する洗浄かごが、取り出し可能に収納されることになるが、それらの構成は周知であるので、説明を省略する。
【００２９】
図１に示すように、洗浄槽２の前部には、洗浄槽２の収納状態において、洗浄機本体１の洗浄槽挿脱用開口３を閉じる矩形板状の扉体９が設けられている。
具体的には、扉体９は、その横幅が洗浄機本体１の横幅よりも少し大きく、且つ、その上下幅が洗浄機本体１の上下幅と同じ大きさとなるように構成されている。
【００３０】
本実施形態の扉体９は、洗浄槽２の前部の上下幅方向の全体および横幅方向の全体を覆うように構成され、扉体９の上部側箇所には、引き出し操作用の把手部８が設けられている。
【００３１】
なお、洗浄槽２の前端部の上方箇所、つまり、扉体９の上部側部分の後方側箇所には、洗浄運転に関する種々の情報を指令する操作パネルＰ（図２参照）が装備されており、洗浄槽２を引き出し状態にして、操作パネルＰにて洗浄運転に関する情報を入力し、その後、洗浄槽２を収納状態することによって、運転制御部（図示せず）が、洗浄槽位置センサ５３（図７参照）によって洗浄槽２の洗浄機本体１への収納を検出し、操作パネルＰにて入力された情報に基づいて、洗浄ポンプや加熱用ヒータなどを作動させて洗浄運転を実行するように構成されている。
【００３２】
また、洗浄槽２が収納状態であること検出する上述の洗浄槽位置センサ５３に加え、洗浄槽２を収納状態にロックするロック装置７１が装備されており、上記運転制御部が、洗浄槽２が収納状態であることを確認しながら、洗浄運転を実行するように構成されている。このロック装置７１については後に詳述する。
【００３３】
図３に示すように、本実施形態の食器洗浄機Ｓは、システムキッチンのキッチンカウンタＣの下方に、引き出し式の収納部や固定パネルなどの設置体Ｄと並べる状態で設置されるものであって、扉体９の表面が、設置体Ｄの前面部Ｅ（図８Ａ参照）の表面と、同一の色調で、同一の図柄となるように構成されている。なお、図３においては、食器洗浄機Ｓの下方に、設置体Ｄとして、引き出し式の収納部が配置される場合を例示する。
【００３４】
［ロック機構の構成］
ロック機構４０は、具体的には図４Ａに示すように、
（ａ）洗浄槽（図４Ａにおいてハッチングを付した部分）２に配設され、前面視において扉体９の左右方向のうち一の方向に係止片であるロック体（ロックピン）（図４Ａにおいて他のハッチングを付した部分）４１を突出させ、また、突出させたロック体４１を突出させる前の位置に後退させる動作を自在に行うことができるように構成されたロック装置７１（図４Ａにおいてさらに他のハッチングを付した部分）と、
（ｂ）洗浄機本体１に配設され、ロック体４１と当接して、洗浄槽２の洗浄機本体１からの引き出しを阻止する係止体（係止部材）４２とを備えている。
【００３５】
ロック体（ロックピン）４１は、前述のように、ロック装置７１から横外方向（実施形態１では右方向）に突出して突出状態となり、また、左方向に後退して、突出する前の状態（後退状態）に戻るように動作する。
【００３６】
また、係止体４２は、洗浄機本体１の所定収納位置（この実施形態１では洗浄機本体１の最奥側の位置）に収納された洗浄槽２が、第１引き出し位置まで引き出されたときに、突出状態にあるロック体４１と当接して、洗浄槽２がそこからさらに引き出されることを阻止する機能を果たす。
【００３７】
食器洗浄機Ｓにおいて洗浄運転を行う際には、ロック装置７１は、ロック体（ロックピン）４１を上記突出状態に保つ、ロック状態を維持することで、洗浄運転中に使用者が洗浄槽２を不用意に引き出すことによる洗浄槽２からの洗浄水の漏出を防止する。
【００３８】
つまり、洗浄槽２が上記第１引き出し位置まで引き出された状態では、洗浄槽２の上面開口部４を開閉する内蓋１０は洗浄槽２の上面開口部４を閉塞はしないものの、内蓋１０は洗浄槽２の上面開口部４を上方から覆って洗浄槽２の上面開口部４から洗浄水が漏出しないように構成されており、また、使用者が上記第１引き出し位置よりさらに洗浄槽２を引き出そうとしても、洗浄槽２がそれ以上引き出すことができず、洗浄槽２からの洗浄水の漏出が防止される。
【００３９】
なお、図４Ａは、洗浄槽２が洗浄機本体１の最奥側に位置している（所定収納位置にある）場合における、ロック体（ロックピン）４１と係止体（係止部材）４２と位置関係を示しており、図４Ｂは、洗浄槽２が上記第１引き出し位置まで引き出されたときに、ロック体４１と、係止体（係止部材）４２の先端４３とが当接（係合）した状態を示している。
このように、ロック装置７１がロック状態にあるときは、洗浄槽２の引き出しが規制される。
【００４０】
洗浄運転が終了すると、図５Ａに示すように、運転制御部（図示せず）によってロック装置７１は、ロック体（ロックピン）４１が上記後退状態に保たれる非ロック状態となる。
【００４１】
ロック装置７１が非ロック状態にあるときには、ロック体（ロックピン）４１が係止体４２に係合しないことから、洗浄槽２を洗浄機本体１から引き出すことができる。
なお、図５Ｂは、ロック体４１が上記後退状態に保たれた、ロック装置７１の非ロック状態において、洗浄槽２を洗浄機本体１から引き出した状態を示している。
【００４２】
［定常時のロック解除］
実施形態１の食器洗浄機Ｓにおいては、洗浄槽２が洗浄機本体１の最奥側に押し込まれた、所定収納位置（最奥）にある場合に、ロックピン４１と係止体４２の間隔Ｇ（図４Ａ参照）が２０ｍｍとなり、洗浄槽２がその所定収納位置から２０ｍｍ引き出されて、ロックピン４１が係止体４２に当接した状態が、洗浄槽２が第１引き出し位置まで引き出された状態（図４Ｂに示す状態）となるように構成されている。
【００４３】
洗浄槽位置センサ５３は、図７(イ)、(ロ)に示すように、洗浄槽２の後端部には取付板５２が設けられ、この取付板５２に洗浄槽位置センサ５３が固定されるとともに、この洗浄槽位置センサ５３に近接してレバー５４が揺動自在に取り付けられている。また、洗浄機本体１のレール７の取付板５５にはレバー５４に対向する位置にレバー押圧用の突起部５６が形成されている。
【００４４】
この洗浄槽位置センサ５３は、洗浄槽２が所定収納位置（最奥）にあるか否かを検出するものであって、例えば投光部５３ａと受光部５３ｂとが対向配置されたフォトカプラからなる。
【００４５】
そして、図７(イ)に示すように、レバー５４が突起部５５から離間していて投光部５３ａと受光部５３ｂとの間に位置するときには、受光部５３ｂの出力がオフするので、洗浄槽２が所定収納位置（最奥）から前方に引き出されていることが検出され、また、図７(ロ)に示すように、レバー５４が突起部５５に押圧されて投光部５３ａと受光部５３ｂとの間から離脱したときには、受光部５３ｂの出力がオンするので、洗浄槽２が所定収納位置に収納されたことが検出されるように構成されている。
【００４６】
なお、実施形態１では、洗浄槽２が所定収納位置（最奥）から所定の検出引き出し量Ｈ（たとえば、３ｍｍ）以上前方に引き出された場合に、レバー５４が突起部５５から離間していて投光部５３ａと受光部５３ｂとの間に位置し、受光部５３ｂの出力がオフして、洗浄槽２が所定収納位置（最奥）から前方に引き出されたことが検出される。
【００４７】
洗浄槽２が所定収納位置（最奥）から所定の検出引き出し量Ｈ（たとえば、３ｍｍ）以上引き出されると運転制御部（図示せず）はポンプへの通電を停止する。なお、洗浄槽２が所定収納位置（最奥）から所定の検出引き出し量Ｈ（たとえば、３ｍｍ）だけ引き出された状態においては、洗浄槽２の上面開口部４は内蓋１０によって閉塞されている。
【００４８】
さらに洗浄槽２が前方に引き出されると内蓋１０は上昇して洗浄槽２の上面開口部４から離脱しているものの、内蓋１０は洗浄槽２の上面開口部４を上方から覆って洗浄槽２の上面開口部４から洗浄水が漏出しないように構成されているから、洗浄槽２の上面開口部４から洗浄水が漏出することはない。
【００４９】
ポンプへの通電の停止により、内蓋１０がない状態においても洗浄水が洗浄槽２の上面開口部４から漏出しない程度の回転数Ｎまでポンプの回転速度が低下したことを運転制御部が検出すると、運転制御部がロックピン４１を後退させて、ロック装置７１を非ロック状態とする。これにより、ロック装置７１によるロック状態が解除され、図５Ｂに示すように、洗浄槽２を前方まで引き出すことが可能になる。
【００５０】
［非定常時のロック解除］
食器洗浄機Ｓは、ロック装置の故障や停電などにより、上述の定常時のロック解除ができない場合に備え、以下に説明する、非定常時ロック解除を行うことにより、ロックピン４１をロック装置７１から横外方向（本実施形態では右方向）に突出した突出状態においても、洗浄槽２を食器洗浄機本体１から引き出し可能に構成されている。
【００５１】
食器洗浄機Ｓは、図８Ａに示すように、設置体Ｄの前面部Ｅと扉体９との間に隙間ＥＧ（例えば２ｍｍ）を存して設置されている。また、設置体Ｄの前面部Ｅの厚みＥＤは例えば１８ｍｍとされている。
【００５２】
食器洗浄機Ｓを構成する部材は多少弾性変形するものであるから、洗浄槽２は、レール７より上方位置においては、食器洗浄機本体１に対して水平方向に移動可能に構成され、ロックピン４１が配設される高さ位置では、食器洗浄機本体１に対して洗浄槽２が左右方向（水平方向）に所定距離Ｅ２１（例えば３ｍｍ）移動可能に構成されている。（図８Ｂ参照。）
【００５３】
図８Ａに示す、洗浄槽２が所定収納位置（最奥）に収納された状態では、洗浄槽２を左方向にずらそうとしても、食器洗浄機Ｓの扉体９と設置体Ｄの前面部Ｅとが干渉するため洗浄槽２は、設置体Ｄの前面部Ｅと扉体９との隙間ＥＧ（例えば２ｍｍ）に相当する距離だけしか左にずらすことができない。
【００５４】
しかし、図４Ａに示すように、洗浄槽２が所定収納位置（最奥）に収納された状態で、ロックピン４１と係止体４２との間にはＧ（例えば２０ｍｍ）の間隙があるため、図８Ｂに示すように洗浄槽２をＧ（例えば２０ｍｍ）だけ前方に引き出すことができる。
【００５５】
図８Ｂに示すように洗浄槽２をＧ（例えば２０ｍｍ）だけ前方に引き出した状態では、食器洗浄機Ｓの扉体９と設置体Ｄの前面部Ｅとが干渉しないので、洗浄槽２を左方向に所定距離Ｅ２１（例えば３ｍｍ）だけ移動させることが可能である。
【００５６】
洗浄槽２をＧ（例えば２０ｍｍ）だけ前方に引き出した状態で、洗浄槽２を左方向にＥ２１（例えば３ｍｍ）だけ移動させたときのロック体（ロックピン）４１と係止体４２の位置関係を、図４Ｃ、図６Ａに示す。
【００５７】
図４Ｃ、図６Ａに示すように、洗浄槽２を食器洗浄機本体１に対して左方向にＥ２１（例えば３ｍｍ）だけ移動させた状態においては、ロック体（ロックピン）４１と係止体の先端４３とは前面視において重ならない位置関係にあることから、洗浄槽２を前方に引き出すことができる。
【００５８】
また、図４Ｃ、図６Ａに示す状態から洗浄槽２を前方に引き出すと、図４Ｄ、図６Ｂに示すように、ロック体（ロックピン）４１は係止体４２の傾斜部４４（すなわち、図６Ａ、図６Ｂにおける、係止体４２の左側面側に形成された傾斜部４４に当接するが、洗浄槽２をやや強い力で引っぱることによりロック体（ロックピン）４１は係止体４２を外方（右方）に弾性変形させながら傾斜部４４を前方側（洗浄槽２の引き出し方向側）に乗り越えることができるため、図４Ｅに示すように洗浄槽２を洗浄槽本体１から引き出すことができる。
【００５９】
なお、係止体４２に傾斜部４４を備えることにより、洗浄槽１を引き出そうとした場合の抵抗が傾斜部４４が存在している分だけ大きくなり、洗浄槽２を不用意に左側に偏らせてしまったときにも、洗浄槽２を引き出そうという意図を持って洗浄槽を手前側に移動させなければ、容易に洗浄槽２が引き出されてしまうようなことがなく、洗浄水の漏出防止に対する信頼性を確保することができる。
【００６０】
＜実施形態２＞
図９は本発明の他の実施形態（実施形態２）にかかる食器洗浄機Ｓの要部構成を示す平面断面図であり、図１０は、実施形態２の食器洗浄機Ｓの構成を模式的に示す平面概念図である。
【００６１】
この実施形態２にかかる食器洗浄機Ｓは、洗浄槽２を不用意に左側に偏らせてしまうことがないようにするために、洗浄槽２を食器洗浄機本体１の左右方向の中央に位置するように付勢する付勢手段８１を備えている（図１０参照）。
すなわち、実施形態２にかかる食器洗浄機Ｓは、図９に示すように、実施形態１の食器洗浄機Ｓでは備えていた傾斜部４４（図４Ａ〜図５Ｂ）を備えず、上述のように、洗浄槽２を食器洗浄機本体１の左右方向の中央に位置するように付勢する付勢手段８１（図１０参照）を備えている点で、上述の実施形態１の食器洗浄機Ｓとは構成を異にしている。
なお、図９，１０において、図１〜図６Ｂと同一符号を付した部分は、同一または相当部分を示している。
【００６２】
この実施形態２の食器洗浄機Ｓのように、洗浄槽２を食器洗浄機本体１の左右方向の中央に位置するように付勢する付勢手段８１を備えた構成とした場合にも、上記実施形態１の場合と同様に、意図せずに容易に洗浄槽２が引き出されてしまうおそれを軽減して、信頼性を向上させることができる。
【００６３】
なお、本発明は上記の実施形態に限定されるものではなく、本発明の範囲内において種々の変形を加えることが可能である。
【符号の説明】
【００６４】
１        食器洗浄機本体
２        洗浄槽
３        前面開口部
４        上面開口部
５        食器類
７        レール
８        把手部
９        扉体
１０      内蓋
４０      ロック機構
４１      ロック体（ロックピン）
４２      係止体（係止部材）
４３      係止体の先端
４４      傾斜部
５２      取付板
５３      洗浄槽位置センサ
５４      レバー
５５      レールの取付板
５６      突起部
７１      ロック装置
８１      付勢手段
Ａ        収納移動方向
Ｂ        引き出し移動方向
Ｃ        キッチンカウンタ
Ｄ        設置体
Ｅ        設置体前面部
ＥＤ      設置体前面部の厚み（例えば１８ｍｍ）
ＥＧ      設置体前面部と扉体との隙間（例えば２ｍｍ）
Ｅ２１    食器洗浄機本体に対する洗浄槽の水平方向移動可能寸法（例えば３ｍｍ）
Ｇ        ロック体と係止体の間隙（例えば２０ｍｍ）
Ｈ        洗浄槽位置センサの検出引き出し量（例えば３ｍｍ）
Ｐ        操作パネル
Ｓ        食器洗浄機
【図１】
2014104013.tif 000003
【図２】
2014104013.tif 000004
【図３】
2014104013.tif 000005
【図４Ａ】
2014104013.tif 000006
【図４Ｂ】
2014104013.tif 000007
【図４Ｃ】
2014104013.tif 000008
【図４Ｄ】
2014104013.tif 000009
【図４Ｅ】
2014104013.tif 000010
【図５Ａ】
2014104013.tif 000011
【図５Ｂ】
2014104013.tif 000012
【図６Ａ】
2014104013.tif 000013
【図６Ｂ】
2014104013.tif 000014
【図７】
2014104013.tif 000015
【図８Ａ】
2014104013.tif 000016
【図８Ｂ】
2014104013.tif 000017
【図９】
2014104013.tif 000018
【図１０】
2014104013.tif 000019